(57)【要約】【課題】本発明は画像読取装置等の駆動機構の挙動予測を的確に行う駆動機構設計支援装置、駆動機構設計支援方法及び記憶媒体を提供する。【解決手段】駆動機構設計支援装置１は、駆動モータ２１により回転駆動される駆動軸２２に取り付けられた駆動軸プーリ２３と、任意の負荷の付与される従動軸３１に取り付けられた従動軸プーリ３２と、に駆動伝達ベルト２６を巻き付けて、駆動軸２２の回転により駆動伝達ベルト２６を介して従動軸３１を回転させ画像読取装置の駆動機構の挙動予測を行うのに際して、駆動軸２２の回転量と時間との関係及び従動軸３１の回転量と時間との関係を計測部２５、３４で計測して挙動予測を行う。したがって、画像読取装置の駆動機構全体の設計を完成しなくても、駆動機構全体の挙動を予測することができ、設計期間を短縮化しつつ適切な設計を行うことができる。【選択図】          図１
2004192286.tif 000002
【特許請求の範囲】
【請求項１】
駆動モータにより回転駆動される駆動軸に取り付けられた駆動軸プーリと、任意の負荷の付与される従動軸に取り付けられた従動軸プーリと、に駆動伝達ベルトを巻き付けて、前記駆動軸の回転により当該駆動伝達ベルトを介して前記従動軸を回転させ画像読取装置の駆動機構の挙動予測を行う駆動機構設計支援装置であって、前記駆動軸の回転量と時間との関係及び前記従動軸の回転量と時間との関係を計測手段で計測して前記挙動予測を行うことを特徴とする駆動機構設計支援装置。
【請求項２】
前記駆動機構設計支援装置は、前記駆動軸プーリとして、前記画像読取装置の駆動機構設計時に設計された駆動軸プーリが取り付けられ、前記従動軸プーリとして、前記画像読取装置の駆動機構設計時に設計された従動軸プーリが取り付けられ、前記駆動伝達ベルトとして、前記画像読取装置の駆動機構設計時に設計された駆動伝達ベルトが取り付けられていることを特徴とする請求項１記載の駆動機構設計支援装置。
【請求項３】
前記駆動機構設計支援装置は、前記駆動モータとして、前記画像読取装置の駆動機構設計時に設計、または、選択された駆動モータが用いられていることを特徴とする請求項１または請求項２記載の駆動機構設計支援装置。
【請求項４】
前記駆動機構設計支援装置は、前記駆動モータをモータ制御プログラムで駆動制御する計測制御手段を備えていることを特徴とする請求項１から請求項３のいずれかに記載の駆動機構設計支援装置。
【請求項５】
前記駆動機構設計支援装置は、前記駆動伝達ベルトに任意の負荷を付与するベルト負荷付与手段を備えていることを特徴とする請求項１から請求項４のいずれかに記載の駆動機構設計支援装置。
【請求項６】
前記駆動機構設計支援装置は、前記従動軸に任意の負荷を付与する軸負荷付与手段を備えていることを特徴とする請求項１から請求項５のいずれかに記載の駆動機構設計支援装置。
【請求項７】
前記駆動機構設計支援装置は、前記計測手段の計測した前記駆動軸の回転量と時間との関係及び前記従動軸の回転量と時間との関係をリアルタイムでデータ収集するデータ収集手段を備えていることを特徴とする請求項１から請求項６のいずれかに記載の駆動機構設計支援装置。
【請求項８】
前記データ収集手段は、前記収集した前記駆動軸の回転量と時間との関係及び前記従動軸の回転量と時間との関係のデータから当該駆動軸と当該従動軸の回転速度と時間の関係を算出して、当該算出結果を表示出力することを特徴とする請求項７記載の駆動機構設計支援装置。
【請求項９】
駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行う駆動機構設計支援方法であって、前記駆動軸の回転量と時間との関係及び前記従動軸の回転量と時間との関係を計測して、前記挙動予測処理を行うことを特徴とする駆動機構設計支援方法。
【請求項１０】
駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行う駆動機構設計支援プログラムを記録する記憶媒体であって、前記駆動軸の回転量と時間との関係及び前記従動軸の回転量と時間との関係を計測して前記挙動予測処理を行う駆動機構設計支援プログラム及び当該駆動機構設計支援プログラムの実行に必要なデータを記憶することを記録することを特徴とする記憶媒体。
【発明の詳細な説明】
【０００１】
【発明の属する技術分野】
本発明は、駆動機構設計支援装置、駆動機構設計支援方法及び記憶媒体に関し、詳細には、画像読取装置の駆動系の事前検証、特に、タイミングベルト等の伝達要素特性値の影響をモータの速度テーブル等の制御パラメータを実際の計測データを参照しながら行って、画像読取装置の駆動機構の設計の最適化を図ることのできる駆動機構設計支援装置、駆動機構設計支援方法及び記憶媒体に関する。
【０００２】
【従来の技術】
【特許文献１】
特開平６−２８２６１１号公報
スキャナ、複写装置等の画像読取装置は、一般的に、モータの駆動をタイミングベルトでプーリに伝達して、当該プーリを回転させて当該プーリに巻き付けられているワイヤで、光源やミラーを搭載したキャリッジを走査移動させるベルト駆動方式が採用されている。
【０００３】
すなわち、画像読取装置は、一般的に、図３に示すように、副走査方向に延在して平行に配設された一対のレール１０１、１０２に、第１キャリッジ１０３と第２キャリッジ１０４が当該レール１０１、１０２に沿って移動可能に搭載されており、第１キャリッジ１０３は、光源１０５及びミラー１０６を搭載している。第２キャリッジ１０４は、複数個のミラー１０７を搭載しており、その両端には、プーリ１０８、１０９が設けられている。
【０００４】
レール１０１とレール１０２に直交する状態で、回転軸１１０が配設されており、回転軸１１０のレール１０１側には、ギヤ１１１が設けられている。ギヤ１１１は、モータ１１２の駆動軸に連結されたギヤ１１３との間に張り渡されたタイミングベルト１１４で連結されており、モータ１１２の駆動力がギヤ１１３及びギヤ１１１を介してタイミングベルト１１４により回転軸１１０に伝達される。このモータ１１２は、一般的に、ステッピングモータが用いられ、ステッピングモータは、回転動作条件を予め設定した速度テーブルに従って回転動作する。
【０００５】
レール１０１、１０２の両端部には、それぞれアイドラプーリ１１５、１１６、１１７、１１８が設けられており、レール１０１、１０２に沿ってそれぞれその一端が図示しない筐体の壁に固定されているワイヤ１１９、１２０が張り渡されている。
【０００６】
ワイヤ１１９は、固定された筐体の壁側から第２キャリッジ１０４のプーリ１０８、アイドラプーリ１１５の順に架け回されて、回転軸１１０に固定されているワイヤプーリ１２１に数回巻き付けられ、さらに、アイドラプーリ１１６及び第２キャリッジ１０４のプーリ１０８に順次架け回されて、その他端が図示しないスプリングを介して筐体に固定されている。また、ワイヤ１１９は、アイドラプーリ１１５と第２キャリッジ１０４のプーリ１０８との間の部分が、第１キャリッジ１０３のレール１０１側の一端に固定されている。
【０００７】
また、ワイヤ１２０は、同様に、固定された筐体の壁側から第２キャリッジ１０４のプーリ１０９、アイドラプーリ１１７の順に架け回されて、回転軸１１０に固定されているワイヤプーリ１２２に数回巻き付けられ、さらに、アイドラープーリ１１８及び第２キャリッジ１０４のプーリ１０９に順次架け回されて、その他端が図示しないスプリングを介して筐体に固定されている。また、ワイヤ１２０は、アイドラプーリ１１７と第２キャリッジ１０４のプーリ１０９との間の部分が、第１キャリッジ１０３のレール１０２側の一端に固定されている。
【０００８】
従来の画像読取装置は、上記第１キャリッジ１０３と第２キャリッジ１０４の駆動機構が、原稿の載置される図示しないコンタクトガラスの下部に配設されて、モータ１１２の駆動力により、ワイヤプーリ１２１、１２２が回転し、ワイヤ１１９、１２０に引かれて、第１キャリッジ１０３と第２キャリッジ１０４が副走査方向に移動する。画像読取装置は、この第１キャリッジ１０３に搭載されている光源１０５から原稿に読取光を照射して、原稿で反射された原稿画像の反射光を第１キャリッジ１０３のミラー１０６で第２キャリッジ１０４のミラー１０７方向に反射し、第２キャリッジ１０４のミラー１０７で、図示しないＣＣＤ（Charge Coupled Device ）等の読取センサに入射させて主走査することで原稿の画像を読み取る。すなわち、画像読取装置は、モータ１１２の回転を制御することにより、第１キャリッジ１０３と第２キャリッジ１０４を副走査方向に移動させつつ、主走査して、原稿の画像を読み取る。
【０００９】
そして、画像読取装置は、上述のような読取動作において、原稿の画像情報を忠実に再現するためには、キャリッジ１０３、１０４を精度よく駆動し、原稿の画像の読み取りを行う必要がある。
【００１０】
従来、このような駆動機構を設計する場合には、設計者等の経験に基づいて設計して試作品を試作し、実機を用いて駆動系の設計チューニング、いわゆる実機評価を行うという手順で製品開発を行っている。このような従来の設計者の経験を利用した開発設計においては、設計者の作業負担が大きくなるため、結果として、設計期間が長期化してしまうという問題点があった。また、設計完了後に試作を行い、その試作機を用いて評価を行うことになるため、最適化した設計が完了するまでに、試行錯誤を繰り返すことになり、開発期間が長期化するとともに、試作回数の増加に伴って、開発費用が高くなるといった問題点もあった。
【００１１】
また、最近では、複写機等のフルカラー化及び高解像度化の要求が高まっており、これらの要望を実現するには、読取精度の向上及び設計の迅速化が望まれている。
【００１２】
このような要求に対応するため、設計段階で、読取精度を事前評価し、向上を図るために、読取時キャリッジの挙動を予測する必要がある。
【００１３】
そして、従来、画像読取装置の設計においては、シミュレーション等の手法で画像読取装置の駆動系の挙動を予測し、その結果を設計に反映する手法が採用されている（特許文献１参照）。そして、この従来の設計支援技術は、ベルト特性を有限要素法統の手法で解析している。
【００１４】
【発明が解決しようとする課題】
しかしながら、このような従来の設計支援技術にあっては、ベルト特性を有限要素法統の手法で解析しているため、画像読取装置の駆動系のように、駆動系にタイミングベルト等のような時間の進行とともに材料のヤング率が変化する粘弾性材料を用いた駆動系の挙動予測を正確に行うことができず、改良の必要があった。
【００１５】
すなわち、駆動系にタイミングベルト等のような時間の進行とともに材料のヤング率が変化する粘弾性材料を用いた駆動系においては、駆動機構の急速な立ち上、あるいは、立ち下げの際、駆動系全体の挙動を正確に評価するためには、立ち上げ（立ち下げ）速度の変化に伴うベルト特性を正確に評価する必要があるが、ベルト特性を有限要素法等の手法で解析すると、タイミングベルトのような材料に対して、単にヤング率のみをベルト特性として入力した場合、解析計算上の誤差が大きくなって、正確に計算することが困難となり、駆動系の挙動予測を正確に行うことができないという問題があった。
【００１６】
そこで、本発明は、画像読取装置における駆動軸以降の部品のイナーシャを実験装置における従動軸に換算し、キャリッジの副走査方向の速度変動の代わりに、実験装置における従動軸の速度変動を評価することにより、画像読取装置の駆動機構全体の設計を完成することなく、駆動機構の挙動を予測して、画像読取装置の駆動機構の設計時における的確な指針を行い、設計期間を短縮化することのできる駆動機構設計支援装置、駆動機構設計支援方法及び記録媒体を提供することを目的としている。
【００１７】
具体的には、請求項１記載の発明は、駆動モータにより回転駆動される駆動軸に取り付けられた駆動軸プーリと、任意の負荷の付与される従動軸に取り付けられた従動軸プーリと、に駆動伝達ベルトを巻き付けて、駆動軸の回転により当該駆動伝達ベルトを介して従動軸を回転させ画像読取装置の駆動機構の挙動予測を行うのに際して、駆動軸の回転量と時間との関係及び従動軸の回転量と時間との関係を計測手段で計測して挙動予測を行うことにより、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測し、画像読取装置の駆動機構設計時における的確な指針を行って、設計期間を短縮化しつつ適切な設計を行うことのできる駆動機構設計支援装置を提供することを目的としている。
【００１８】
請求項２記載の発明は、駆動軸プーリとして、画像読取装置の駆動機構設計時に設計された駆動軸プーリを取り付け、従動軸プーリとして、画像読取装置の駆動機構設計時に設計された従動軸プーリを取り付け、駆動伝達ベルトとして、画像読取装置の駆動機構設計時に設計された駆動伝達ベルトを取り付けることにより、画像読取装置の駆動機構における駆動軸系と同様の駆動機構を構築して、画像読取装置の駆動機構全体の設計を完成しなくても、実際の画像読取装置の駆動機構の挙動予測を適切に行い、画像読取装置の駆動機構設計時におけるより一層的確な指針を行って、設計期間を短縮化しつつより一層適切な設計を行うことのできる駆動機構設計支援装置を提供することを目的としている。
【００１９】
請求項３記載の発明は、駆動モータとして、画像読取装置の駆動機構設計時に設計、または、選択された駆動モータを用いることにより、画像読取装置の駆動機構における駆動軸系と同様の駆動機構を構築して、画像読取装置の駆動機構全体の設計を完成しなくても、実際の画像読取装置の駆動機構の挙動予測を適切に行い、画像読取装置の駆動機構設計時におけるより一層的確な指針を行って、設計期間を短縮化しつつより一層適切な設計を行うことのできる駆動機構設計支援装置を提供することを目的としている。
【００２０】
請求項４記載の発明は、駆動モータをモータ制御プログラムで駆動制御する計測制御手段を設けることにより、駆動軸を任意の速度で駆動制御して、当該駆動条件下での従動軸の回転速度変動を計測し、駆動速度を最適化することで、画像読取装置の駆動機構におけるキャリッジの副走査方向の速度変動を最小に抑える設計を容易に行うことのできる駆動機構設計支援装置を提供することを目的としている。
【００２１】
請求項５記載の発明は、駆動伝達ベルトに任意の負荷を付与するベルト負荷付与手段を設けることにより、駆動伝達ベルトに任意の負荷（テンション）を加えて、ベルト負荷を最適化し、画像読取装置の駆動機構におけるキャリッジの副走査方向の速度変動を最小に抑える設計を容易に行うことのできる駆動機構設計支援装置を提供することを目的としている。
【００２２】
請求項６記載の発明は、従動軸に任意の負荷を付与する軸負荷付与手段を設けることにより、画像読取装置の駆動機構と同等の駆動機構を構築して、画像読取装置の駆動機構全体の設計を完成しなくても、実際の画像読取装置の駆動機構の挙動をより一層適切に予測し、画像読取装置の駆動機構設計時におけるより一層的確な指針を行って、設計期間を短縮化しつつより一層適切な設計を行うことのできる駆動機構設計支援装置を提供することを目的としている。
【００２３】
請求項７記載の発明は、計測手段の計測した駆動軸の回転量と時間との関係及び従動軸の回転量と時間との関係をリアルタイムでデータ収集するデータ収集手段を設けることにより、計測データ収集中にデータ落ちが発生することを防止して、駆動軸と従動軸の回転量と時間との関係を精度が良くリアルタイムで計測し、設計期間を短縮化しつつ適切な設計を効率的に行うことのできる駆動機構設計支援装置を提供することを目的としている。
【００２４】
請求項８記載の発明は、データ収集手段が、収集した駆動軸の回転量と時間との関係及び従動軸の回転量と時間との関係のデータから当該駆動軸と当該従動軸の回転速度と時間の関係を算出して、当該算出結果を表示出力することにより、画像読取装置の駆動機構におけるキャリッジの速度変動と同等な結果で駆動機構を速やかに評価し、設計期間をより一層短縮化しつつより一層適切な設計を行うことのできる駆動機構設計支援装置を提供することを目的としている。
【００２５】
請求項９記載の発明は、駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行うのに際して、駆動軸の回転量と時間との関係及び従動軸の回転量と時間との関係を計測して、挙動予測処理を行うことにより、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測し、画像読取装置の駆動機構設計時における的確な指針を行って、設計期間を短縮化しつつ適切な設計を行うことのできる駆動機構設計支援方法を提供することを目的としている。
【００２６】
請求項１０記載の発明は、コンピュータ等の情報処理装置で読取可能な記憶媒体に、駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行う駆動機構設計支援プログラムであって、駆動軸の回転量と時間との関係及び従動軸の回転量と時間との関係を計測して挙動予測処理を行う駆動機構設計支援プログラム及び当該駆動機構設計支援プログラムの実行に必要なデータを記録することにより、当該記憶媒体をコンピュータ等の情報処理装置に読み取らせて、当該駆動機構設計支援プログラムを実行させ、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測して、画像読取装置の駆動機構設計時における的確な指針を行って、設計期間を短縮化しつつ適切な設計を行うことのできる駆動機構設計支援装置を、容易にかつ任意の場所で構築することのできる記憶媒体を提供することを目的としている。
【００２７】
【課題を解決するための手段】
請求項１記載の発明の駆動機構設計支援装置は、駆動モータにより回転駆動される駆動軸に取り付けられた駆動軸プーリと、任意の負荷の付与される従動軸に取り付けられた従動軸プーリと、に駆動伝達ベルトを巻き付けて、前記駆動軸の回転により当該駆動伝達ベルトを介して前記従動軸を回転させ画像読取装置の駆動機構の挙動予測を行う駆動機構設計支援装置であって、前記駆動軸の回転量と時間との関係及び前記従動軸の回転量と時間との関係を計測手段で計測して前記挙動予測を行うことにより、上記目的を達成している。
【００２８】
上記構成によれば、駆動モータにより回転駆動される駆動軸に取り付けられた駆動軸プーリと、任意の負荷の付与される従動軸に取り付けられた従動軸プーリと、に駆動伝達ベルトを巻き付けて、駆動軸の回転により当該駆動伝達ベルトを介して従動軸を回転させ画像読取装置の駆動機構の挙動予測を行うのに際して、駆動軸の回転量と時間との関係及び従動軸の回転量と時間との関係を計測手段で計測して挙動予測を行うので、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測することができ、画像読取装置の駆動機構設計時における的確な指針を行って、設計期間を短縮化しつつ適切な設計を行うことができる。
【００２９】
この場合、例えば、請求項２に記載するように、前記駆動機構設計支援装置は、前記駆動軸プーリとして、前記画像読取装置の駆動機構設計時に設計された駆動軸プーリが取り付けられ、前記従動軸プーリとして、前記画像読取装置の駆動機構設計時に設計された従動軸プーリが取り付けられ、前記駆動伝達ベルトとして、前記画像読取装置の駆動機構設計時に設計された駆動伝達ベルトが取り付けられているものであってもよい。
【００３０】
上記構成によれば、駆動軸プーリとして、画像読取装置の駆動機構設計時に設計された駆動軸プーリを取り付け、従動軸プーリとして、画像読取装置の駆動機構設計時に設計された従動軸プーリを取り付け、駆動伝達ベルトとして、画像読取装置の駆動機構設計時に設計された駆動伝達ベルトを取り付けているので、画像読取装置の駆動機構における駆動軸系と同様の駆動機構を構築して、画像読取装置の駆動機構全体の設計を完成しなくても、実際の画像読取装置の駆動機構の挙動予測を適切に行うことができ、画像読取装置の駆動機構設計時におけるより一層的確な指針を行って、設計期間を短縮化しつつより一層適切な設計を行うことができる。
【００３１】
また、例えば、請求項３に記載するように、前記駆動機構設計支援装置は、前記駆動モータとして、前記画像読取装置の駆動機構設計時に設計、または、選択された駆動モータが用いられているものであってもよい。
【００３２】
上記構成によれば、駆動モータとして、画像読取装置の駆動機構設計時に設計、または、選択された駆動モータを用いているので、画像読取装置の駆動機構における駆動軸系と同様の駆動機構を構築して、画像読取装置の駆動機構全体の設計を完成しなくても、実際の画像読取装置の駆動機構の挙動予測を適切に行うことができ、画像読取装置の駆動機構設計時におけるより一層的確な指針を行って、設計期間を短縮化しつつより一層適切な設計を行うことができる。
【００３３】
さらに、例えば、請求項４に記載するように、前記駆動機構設計支援装置は、前記駆動モータをモータ制御プログラムで駆動制御する計測制御手段を備えているものであってもよい。
【００３４】
上記構成によれば、駆動モータをモータ制御プログラムで駆動制御する計測制御手段を設けているので、駆動軸を任意の速度で駆動制御して、当該駆動条件下での従動軸の回転速度変動を計測することができ、駆動速度を最適化することで、画像読取装置の駆動機構におけるキャリッジの副走査方向の速度変動を最小に抑える設計を容易に行うことができる。
【００３５】
また、例えば、請求項５に記載するように、前記駆動機構設計支援装置は、前記駆動伝達ベルトに任意の負荷を付与するベルト負荷付与手段を備えているものであってもよい。
【００３６】
上記構成によれば、駆動伝達ベルトに任意の負荷を付与するベルト負荷付与手段を設けているので、駆動伝達ベルトに任意の負荷（テンション）を加えて、ベルト負荷を最適化することができ、画像読取装置の駆動機構におけるキャリッジの副走査方向の速度変動を最小に抑える設計を容易に行うことができる。
【００３７】
さらに、例えば、請求項６に記載するように、前記駆動機構設計支援装置は、前記従動軸に任意の負荷を付与する軸負荷付与手段を備えているものであってもよい。
【００３８】
上記構成によれば、従動軸に任意の負荷を付与する軸負荷付与手段を設けているので、画像読取装置の駆動機構と同等の駆動機構を構築して、画像読取装置の駆動機構全体の設計を完成しなくても、実際の画像読取装置の駆動機構の挙動をより一層適切に予測することができ、画像読取装置の駆動機構設計時におけるより一層的確な指針を行って、設計期間を短縮化しつつより一層適切な設計を行うことができる。
【００３９】
また、例えば、請求項７に記載するように、前記駆動機構設計支援装置は、前記計測手段の計測した前記駆動軸の回転量と時間との関係及び前記従動軸の回転量と時間との関係をリアルタイムでデータ収集するデータ収集手段を備えているものであってもよい。
【００４０】
上記構成によれば、計測手段の計測した駆動軸の回転量と時間との関係及び従動軸の回転量と時間との関係をリアルタイムでデータ収集するデータ収集手段を設けているので、計測データ収集中にデータ落ちが発生することを防止して、駆動軸と従動軸の回転量と時間との関係を精度が良くリアルタイムで計測することができ、設計期間を短縮化しつつ適切な設計を効率的に行うことができる。
【００４１】
さらに、例えば、請求項８に記載するように、前記データ収集手段は、前記収集した前記駆動軸の回転量と時間との関係及び前記従動軸の回転量と時間との関係のデータから当該駆動軸と当該従動軸の回転速度と時間の関係を算出して、当該算出結果を表示出力するものであってもよい。
【００４２】
上記構成によれば、データ収集手段が、収集した駆動軸の回転量と時間との関係及び従動軸の回転量と時間との関係のデータから当該駆動軸と当該従動軸の回転速度と時間の関係を算出して、当該算出結果を表示出力するので、画像読取装置の駆動機構におけるキャリッジの速度変動と同等な結果で駆動機構を速やかに評価することができ、設計期間をより一層短縮化しつつより一層適切な設計を行うことができる。
【００４３】
請求項９記載の発明の駆動機構設計支援方法は、駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行う駆動機構設計支援方法であって、前記駆動軸の回転量と時間との関係及び前記従動軸の回転量と時間との関係を計測して、前記挙動予測処理を行うことにより、上記目的を達成している。
【００４４】
上記構成によれば、駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行うのに際して、駆動軸の回転量と時間との関係及び従動軸の回転量と時間との関係を計測して、挙動予測処理を行うので、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測することができ、画像読取装置の駆動機構設計時における的確な指針を行って、設計期間を短縮化しつつ適切な設計を行うことができる。
【００４５】
請求項１０記載の発明の記憶媒体は、駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行う駆動機構設計支援プログラムを記録する記憶媒体であって、前記駆動軸の回転量と時間との関係及び前記従動軸の回転量と時間との関係を計測して前記挙動予測処理を行う駆動機構設計支援プログラム及び当該駆動機構設計支援プログラムの実行に必要なデータを記憶することにより、上記目的を達成している。
【００４６】
上記構成によれば、コンピュータ等の情報処理装置で読取可能な記憶媒体に、駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行う駆動機構設計支援プログラムであって、駆動軸の回転量と時間との関係及び従動軸の回転量と時間との関係を計測して挙動予測処理を行う駆動機構設計支援プログラム及び当該駆動機構設計支援プログラムの実行に必要なデータを記録しているので、当該記憶媒体をコンピュータ等の情報処理装置に読み取らせて、当該駆動機構設計支援プログラムを実行させることができ、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測して、画像読取装置の駆動機構設計時における的確な指針を行って、設計期間を短縮化しつつ適切な設計を行うことのできる駆動機構設計支援装置を、容易にかつ任意の場所で構築することができる。
【００４７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００４８】
図１及び図２は、本発明の駆動機構設計支援装置、駆動機構設計支援方法及び記憶媒体の一実施の形態を示す図であり、図１は、本発明の駆動機構設計支援装置、駆動機構設計支援方法及び記憶媒体の一実施の形態を適用した画像読取装置の駆動機構設計支援装置１の実験装置１０と計測制御装置４０を示す図である。
【００４９】
図１において、駆動機構設計支援装置１は、設計対象の画像読取装置の駆動機構を実験を行う実験装置１０と、実験装置１０のモータ制御を行ってリアルタイムに計測結果を収集して出力する計測制御装置４０と、を備えている。
【００５０】
実験装置１０は、駆動側２０と従動側３０を有し、駆動側２０には、駆動源として、設計対象の画像読取装置の駆動機構の設計時に選択された駆動モータ２１が設けられている。この駆動モータ２１は、画像読取装置の駆動源として一般的に使用されるステッピングモータ等が用いられており、駆動軸２２を回転駆動する。
【００５１】
駆動軸２２には、画像読取装置の駆動機構設計時に設計された駆動軸プーリ２３が取り付けられ、駆動軸プーリ２３と駆動モータ２１との間は、例えば、剛性の高いカップリング２４で結合されている。
【００５２】
駆動軸２２には、駆動軸プーリ２３を挟んで駆動モータ２１とは反対側に、計測部（計測手段）２５が取り付けられており、計測部２５は、駆動軸２２の回転量と時間との関係を計測するもので、例えば、エンコーダ等が用いられている。
【００５３】
そして、駆動軸プーリ２３には、駆動伝達ベルト２６が巻き付けられており、駆動伝達ベルト２６としては、画像読取装置の設計時に設計された駆動伝達ベルト、例えば、タイミングベルト等が用いられている。
【００５４】
一方、従動側３０には、従動軸３１に従動軸プーリ３２が取り付けられており、従動軸プーリ３２としては、駆動伝達ベルト２６に応じたプーリ、例えば、駆動伝達ベルト２６がタイミングベルトであると、当該タイミングベルトに応じたタイミングプーリ等が用いられている。従動軸プーリ３２としては、画像読取装置の設計時に設計された従動軸プーリが用いられており、この従動軸プーリ３１が駆動伝達ベルト２６を介して駆動軸プーリ２３の回転が伝達されて回転することで、従動軸３１が回転する。
【００５５】
従動軸３１には、従動負荷（軸負荷付与手段）３３が取り付けられており、この従動負荷３３は、従動軸３１により、実際の画像読取装置の駆動機構の挙動を再現するための負荷で、例えば、実際の画像読取装置の駆動機構における駆動軸後の慣性モーメントと同等なフライホイールが用いられている。この従動負荷３３を適宜変化させることで、実際の画像読取装置の駆動機構における駆動軸後の慣性モーメントを実現させることができる。
【００５６】
また、従動軸３１の従動軸プーリ３２を挟んで従動負荷３３と反対側には、計測部（計測手段）３４が取り付けられており、計測部３４は、従動軸３１の回転量と時間との関係を計測するもので、例えば、エンコーダ等が用いられている。
【００５７】
そして、この実験装置１０は、駆動伝達ベルト２６に任意の負荷を加えるために、例えば、従動側３０の全体が可動ステージに搭載されており、この可動ステージにテンション計測装置を設けて、例えば、スプリングの伸び量によってテンションを調整可能としている。このテンション計測装置で、所定テンションに達成するまで、可動ステージの位置を調整し、最後に可動ステージを固定して、駆動伝達ベルト２６に任意の負荷を与える。これらの可動ステージ及びテンション計測装置は、全体として、請求項５のベルト負荷付与手段として機能している。
【００５８】
そして、上記計測制御装置４０は、パーソナルコンピュータ等の情報処理装置を用いることができ、実験装置１０の駆動側２０の駆動モータ２１を制御するモータ制御プログラムと、実験装置１０の計測部２５及び計測部３４の計測データをリアルタイムで計測する計測プログラムと、を搭載している。計測制御装置４０は、これらのモータ制御プログラムと計測プログラム及び必要なデータの記録されているＣＤ−ＲＯＭ（Compact Disc Read Only Memory ）等の記録媒体をパーソナルコンピュータ等の情報処理装置に読み取らせて搭載することで、構築されている。
【００５９】
計測制御装置４０は、モータ制御プログラムにより、駆動モータ２１に速度テーブルを与えて、この速度テーブルを適宜変えることで、駆動モータ２１の回転を制御し、駆動軸２２の回転速度を制御する。
【００６０】
また、計測制御装置４０は、計測プログラムにより、計測部２５及び計測部３４からの計測データ収集中に計測制御装置４０のＣＰＵ（Central Processing Unit ）の追従速度によるデータ落ち現象を回避するために、駆動軸２２と従動軸３１の回転量と時間との関係を計測部２５と計測部３４が計測した計測データをリアルタイムで収集する。そこで、計測制御装置４０は、リアルタイム計測データ収集を実現可能なＤＳＰボードを備えていてもよい。
【００６１】
次に、本実施の形態の作用を説明する。本実施の形態の画像読取装置の駆動機構設計支援装置１は、駆動機構の実験を行う実験装置１０と実験装置１０の制御と計測を行って駆動軸２２と従動軸３１の回転速度と時間の関係を収集する計測制御装置４０を備えている。
【００６２】
実験を行うには、まず、駆動伝達ベルト２６に負荷を付与するために、スプリングの伸び量等によってテンションを計測する図示しないテンション計測装置で駆動伝達ベルト２６にかかる負荷が任意の負荷になるように、従動側３０の全体が搭載されている可動ステージの位置調整を行う。
【００６３】
この状態で、計測制御装置４０が、モータ制御プログラムにより、速度テーブルを駆動モータ２１に与えて駆動モータ２１の回転を制御して、駆動モータ２１に連結されている駆動軸２２を回転駆動させる。
【００６４】
そして、駆動軸２２には、駆動軸プーリ２３と計測部２５が取り付けられており、駆動軸２２が回転することで、駆動軸プーリ２３が回転して、駆動軸プーリ２３と従動側３０の従動軸プーリ３２に架け渡されている駆動伝達ベルト２６により駆動軸プーリ２３の回転が従動軸プーリ３２に伝達さて、回転するとともに、駆動軸２２の回転を計測部２５が計測して、計測制御装置４０に出力する。
【００６５】
従動軸プーリ３２は、従動軸３１に連結されており、従動軸３１には、従動負荷３３と計測部３４が取り付けられている。
【００６６】
従動軸３１が従動軸プーリ３２が回転することで回転し、この従動側３０の回転を計測部３４が計測して、計測制御装置４０に出力する。
【００６７】
そして、従動軸３１により、実際の画像読取装置の駆動機構の挙動を再現するために、実験装置１０の従動軸３１に、従動負荷３３として、実際の画像読取装置の駆動機構における駆動軸後の慣性モーメントと同等なフライホイールを付加し、従動軸３１の負荷を変化させる。
【００６８】
そして、このときの駆動軸２２の回転量と時間との関係を計測部２５でリアルタイムに計測し、また、従動軸３１の回転量と時間との関係を計測部３４がリアルタイムに計測し、計測制御装置４０が当該計測部２５と計測部３４の計測結果を計測プログラムにより収集する。特に、計測制御装置４０が、例えば、ＤＳＰボードを備えることで、計測部２５と計測部３４の計測データを、データ落ちを回避しつつ、リアルタイムに収集することができる。
【００６９】
そして、計測制御装置４０は、この計測部２５と計測部３４から収集した回転量と時間の関係から、次式に基づいてリアルタイムに回転速度と時間との関係に換算して、計測結果をリアルタイムにディスプレイに表示出力する。
【００７０】
ω＝〔Ｄ＿ｃｎｔ（ｎ＋１）−Ｄ＿ｃｎｔ（ｎ）〕／Ｔ
なお、ωは、回転速度と時間関係を示し、Ｄ＿ｃｎｔ（ｎ＋１）とＤ＿ｃｎｔ（ｎ）は、相隣両回転量と時間関係の計測データ、Ｔは、相隣両回転量と時間関係の計測間隔である。
【００７１】
いま、例えば、駆動モータ２１として５相ステッピングモータが用いられていると、駆動モータ２１の立ち上げ加速度を１０ｍｓ／ｋｐｐｓに設定すると、駆動軸２２の回転速度は、図２に実線で示すようになり、計測制御装置４０が、速度テーブルを変えることによって、従動軸３１の速度変動を最小に抑えることができ、このときの従動軸３１の回転速度は、図２に破線で示すようになる。すなわち、画像読取装置駆動機構におけるキャリッジ副走査方向の速度変動を最小に抑えることができる。
【００７２】
このように、本実施の形態の画像読取装置の駆動機構設計支援装置１は、駆動モータ２１により回転駆動される駆動軸２２に取り付けられた駆動軸プーリ２３と、任意の負荷の付与される従動軸３１に取り付けられた従動軸プーリ３２と、に駆動伝達ベルト２６を巻き付けて、駆動軸２２の回転により駆動伝達ベルト２６を介して従動軸３１を回転させ画像読取装置の駆動機構の挙動予測を行うのに際して、駆動軸２２の回転量と時間との関係及び従動軸３１の回転量と時間との関係を計測部２５、３４で計測して挙動予測を行っている。
【００７３】
したがって、例えば、画像読取装置の駆動機構におけるキャリッジの副走査方向の速度変動の代わりに、従動軸３１の速度変動を評価することで、画像読取装置の駆動機構全体の設計を完成しなくても、駆動機構全体の挙動を予測することができ、画像読取装置の駆動機構設計時における的確な指針を行って、設計期間を短縮化しつつ適切な設計を行うことができる。
【００７４】
また、本実施の形態の駆動機構設計支援装置１は、駆動軸プーリ２３として、画像読取装置の駆動機構設計時に設計された駆動軸プーリを取り付け、従動軸プーリ３２として、画像読取装置の駆動機構設計時に設計された従動軸プーリを取り付け、駆動伝達ベルト２６として、画像読取装置の駆動機構設計時に設計された駆動伝達ベルトを取り付けている。
【００７５】
したがって、画像読取装置の駆動機構における駆動軸系と同様の駆動機構を構築して、画像読取装置の駆動機構全体の設計を完成しなくても、実際の画像読取装置の駆動機構の挙動予測を適切に行うことができ、画像読取装置の駆動機構設計時におけるより一層的確な指針を行って、設計期間を短縮化しつつより一層適切な設計を行うことができる。
【００７６】
さらに、本実施の形態の駆動機構設計支援装置１は、駆動モータ２１として、画像読取装置の駆動機構設計時に設計、または、選択された駆動モータを用いている。
【００７７】
したがって、画像読取装置の駆動機構における駆動軸系と同様の駆動機構を構築して、画像読取装置の駆動機構全体の設計を完成しなくても、実際の画像読取装置の駆動機構の挙動予測を適切に行うことができ、画像読取装置の駆動機構設計時におけるより一層的確な指針を行って、設計期間を短縮化しつつより一層適切な設計を行うことができる。
【００７８】
また、本実施の形態の駆動機構設計支援装置１は、駆動モータ２１をモータ制御プログラムで駆動制御する計測制御装置４０を設けている。
【００７９】
したがって、駆動軸２２を任意の速度で駆動制御して、当該駆動条件下での従動軸の回転速度変動を計測することができ、駆動速度を最適化することで、画像読取装置の駆動機構におけるキャリッジの副走査方向の速度変動を最小に抑える設計を容易に行うことができる。
【００８０】
さらに、本実施の形態の駆動機構設計支援装置１は、駆動伝達ベルト２６に任意の負荷を付与する可動ステージ及びテンション計測装置を設けている。
【００８１】
したがって、駆動伝達ベルト２６に任意の負荷（テンション）を加えて、ベルト負荷を最適化することができ、画像読取装置の駆動機構におけるキャリッジの副走査方向の速度変動を最小に抑える設計を容易に行うことができる。
【００８２】
また、本実施の形態の駆動機構設計支援装置１は、従動軸３１に任意の負荷を付与する軸負荷付与手段である従動負荷３３を設けている。
【００８３】
したがって、画像読取装置の駆動機構と同等の駆動機構を構築して、画像読取装置の駆動機構全体の設計を完成しなくても、実際の画像読取装置の駆動機構の挙動をより一層適切に予測することができ、画像読取装置の駆動機構設計時におけるより一層的確な指針を行って、設計期間を短縮化しつつより一層適切な設計を行うことができる。
【００８４】
さらに、本実施の形態の駆動機構設計支援装置１は、計測部２５、３４の計測した駆動軸２２の回転量と時間との関係及び従動軸３１の回転量と時間との関係をリアルタイムでデータ収集する計測制御装置４０を設けている。
【００８５】
したがって、計測データ収集中にデータ落ちが発生することを防止して、駆動軸２２と従動軸３１の回転量と時間との関係を精度が良くリアルタイムで計測することができ、設計期間を短縮化しつつ適切な設計を効率的に行うことができる。
【００８６】
また、本実施の形態の駆動機構設計支援装置１は、計測制御装置４０が、収集した駆動軸２２の回転量と時間との関係及び従動軸３１の回転量と時間との関係のデータから駆動軸２２と従動軸３１の回転速度と時間の関係を算出して、当該算出結果を表示出力している。
【００８７】
したがって、画像読取装置の駆動機構におけるキャリッジの速度変動と同等な結果で駆動機構を速やかに評価することができ、設計期間をより一層短縮化しつつより一層適切な設計を行うことができる。
【００８８】
さらに、本実施の形態の駆動機構設計支援装置１は、コンピュータ等の情報処理装置で読取可能な記憶媒体に、駆動モータ２１により回転駆動される駆動軸２２に取り付けられた駆動軸プーリ２３と、任意の負荷の付与される従動軸３１に取り付けられた従動軸プーリ３２と、に駆動伝達ベルト２６が巻き付けられて、駆動軸２２の回転により駆動伝達ベルト２６を介して従動軸３１を回転させて、画像読取装置の駆動機構の挙動予測処理を行う駆動機構設計支援プログラムであって、駆動軸２２の回転量と時間との関係及び従動軸３１の回転量と時間との関係を計測して挙動予測処理を行う駆動機構設計支援プログラム及び当該駆動機構設計支援プログラムの実行に必要なデータを記録して、当該記憶媒体をコンピュータ等に読み取らせることで構築されている。
【００８９】
したがって、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測して、画像読取装置の駆動機構設計時における的確な指針を行って、設計期間を短縮化しつつ適切な設計を行うことのできる駆動機構設計支援装置１を、容易にかつ任意の場所で構築することができる。
【００９０】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９１】
【発明の効果】
請求項１記載の発明の駆動機構設計支援装置によれば、駆動モータにより回転駆動される駆動軸に取り付けられた駆動軸プーリと、任意の負荷の付与される従動軸に取り付けられた従動軸プーリと、に駆動伝達ベルトを巻き付けて、駆動軸の回転により当該駆動伝達ベルトを介して従動軸を回転させ画像読取装置の駆動機構の挙動予測を行うのに際して、駆動軸の回転量と時間との関係及び従動軸の回転量と時間との関係を計測手段で計測して挙動予測を行うので、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測することができ、画像読取装置の駆動機構設計時における的確な指針を行って、設計期間を短縮化しつつ適切な設計を行うことができる。
【００９２】
請求項２記載の発明の駆動機構設計支援装置によれば、駆動軸プーリとして、画像読取装置の駆動機構設計時に設計された駆動軸プーリを取り付け、従動軸プーリとして、画像読取装置の駆動機構設計時に設計された従動軸プーリを取り付け、駆動伝達ベルトとして、画像読取装置の駆動機構設計時に設計された駆動伝達ベルトを取り付けているので、画像読取装置の駆動機構における駆動軸系と同様の駆動機構を構築して、画像読取装置の駆動機構全体の設計を完成しなくても、実際の画像読取装置の駆動機構の挙動予測を適切に行うことができ、画像読取装置の駆動機構設計時におけるより一層的確な指針を行って、設計期間を短縮化しつつより一層適切な設計を行うことができる。
【００９３】
請求項３記載の発明の駆動機構設計支援装置によれば、駆動モータとして、画像読取装置の駆動機構設計時に設計、または、選択された駆動モータを用いているので、画像読取装置の駆動機構における駆動軸系と同様の駆動機構を構築して、画像読取装置の駆動機構全体の設計を完成しなくても、実際の画像読取装置の駆動機構の挙動予測を適切に行うことができ、画像読取装置の駆動機構設計時におけるより一層的確な指針を行って、設計期間を短縮化しつつより一層適切な設計を行うことができる。
【００９４】
請求項４記載の発明の駆動機構設計支援装置によれば、駆動モータをモータ制御プログラムで駆動制御する計測制御手段を設けているので、駆動軸を任意の速度で駆動制御して、当該駆動条件下での従動軸の回転速度変動を計測することができ、駆動速度を最適化することで、画像読取装置の駆動機構におけるキャリッジの副走査方向の速度変動を最小に抑える設計を容易に行うことができる。
【００９５】
請求項５記載の発明の駆動機構設計支援装置によれば、駆動伝達ベルトに任意の負荷を付与するベルト負荷付与手段を設けているので、駆動伝達ベルトに任意の負荷（テンション）を加えて、ベルト負荷を最適化することができ、画像読取装置の駆動機構におけるキャリッジの副走査方向の速度変動を最小に抑える設計を容易に行うことができる。
【００９６】
請求項６記載の発明の駆動機構設計支援装置によれば、従動軸に任意の負荷を付与する軸負荷付与手段を設けているので、画像読取装置の駆動機構と同等の駆動機構を構築して、画像読取装置の駆動機構全体の設計を完成しなくても、実際の画像読取装置の駆動機構の挙動をより一層適切に予測することができ、画像読取装置の駆動機構設計時におけるより一層的確な指針を行って、設計期間を短縮化しつつより一層適切な設計を行うことができる。
【００９７】
請求項７記載の発明の駆動機構設計支援装置によれば、計測手段の計測した駆動軸の回転量と時間との関係及び従動軸の回転量と時間との関係をリアルタイムでデータ収集するデータ収集手段を設けているので、計測データ収集中にデータ落ちが発生することを防止して、駆動軸と従動軸の回転量と時間との関係を精度が良くリアルタイムで計測することができ、設計期間を短縮化しつつ適切な設計を効率的に行うことができる。
【００９８】
請求項８記載の発明の駆動機構設計支援装置によれば、データ収集手段が、収集した駆動軸の回転量と時間との関係及び従動軸の回転量と時間との関係のデータから当該駆動軸と当該従動軸の回転速度と時間の関係を算出して、当該算出結果を表示出力するので、画像読取装置の駆動機構におけるキャリッジの速度変動と同等な結果で駆動機構を速やかに評価することができ、設計期間をより一層短縮化しつつより一層適切な設計を行うことができる。
【００９９】
請求項９記載の発明の駆動機構設計支援方法によれば、駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行うのに際して、駆動軸の回転量と時間との関係及び従動軸の回転量と時間との関係を計測して、挙動予測処理を行うので、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測することができ、画像読取装置の駆動機構設計時における的確な指針を行って、設計期間を短縮化しつつ適切な設計を行うことができる。
【０１００】
請求項１０記載の発明の記憶媒体によれば、コンピュータ等の情報処理装置で読取可能な記憶媒体に、駆動モータにより回転駆動される駆動軸に取り付けられた駆動軸プーリと、任意の負荷の付与される従動軸に取り付けられた従動軸プーリと、に駆動伝達ベルトが巻き付けられて、駆動軸の回転により当該駆動伝達ベルトを介して従動軸を回転させて、画像読取装置の駆動機構の挙動予測処理を行う駆動機構設計支援プログラムであって、駆動軸の回転量と時間との関係及び従動軸の回転量と時間との関係を計測して挙動予測処理を行う駆動機構設計支援プログラム及び当該駆動機構設計支援プログラムの実行に必要なデータを記録しているので、当該記憶媒体をコンピュータ等の情報処理装置に読み取らせて、当該駆動機構設計支援プログラムを実行させることができ、例えば、画像読取装置の駆動機構におけるキャリッジの副走査方向の速度変動の代わりに、従動軸の速度変動を評価することで、画像読取装置の駆動機構全体の設計を完成しなくても、駆動機構全体の挙動を予測して、画像読取装置の駆動機構設計時における的確な指針を行って、設計期間を短縮化しつつ適切な設計を行うことのできる駆動機構設計支援装置を、容易にかつ任意の場所で構築することができる。
【図面の簡単な説明】
【図１】本発明の駆動機構設計支援装置、駆動機構設計支援方法及び記憶媒体の一実施の形態を適用した画像読取装置の駆動機構設計支援装置のシステム構成図。
【図２】図１の駆動機構設計支援装置で計測した駆動軸の回転速度と従動軸の回転速度を示す図。
【図３】画像読取装置の駆動機構の斜視図。
【符号の説明】
１  駆動機構設計支援装置
１０  実験装置
２０  駆動側
２１  駆動モータ
２２  駆動軸
２３  駆動軸プーリ
２４  カップリング
２５  計測部
２６  駆動伝達ベルト
３０  従動側
３１  従動軸
３２  従動軸プーリ
３３  従動負荷
３４  計測部
４０  計測制御装置
【図１】
2004192286.tif 000003
【図２】
2004192286.tif 000004
【図３】
2004192286.tif 000005